(57)【特許請求の範囲】
【請求項１】
表示領域及び前記表示領域を囲む非表示領域を有する複数の有効領域を有する基板と、
前記基板上に所在する複数群のボンディング端子と、
前記基板の周縁領域上に所在する第１静電保護ワイヤと、
前記基板上に所在する第２静電保護ワイヤと、
を備え、各群のボンディング端子が第２静電保護ワイヤを介し第１静電保護ワイヤに直接且つ電気的に接続され、
前記第１静電保護ワイヤ及び前記第２静電保護ワイヤは、自身の断面積を大きくするように、それぞれ複数層を有し、
前記第２静電保護ワイヤは、垂直方向に配置された第２静電保護ブランチの第１セットと、水平方向に配置された第２静電保護ブランチの第２セットとを含み、前記第２セットの各第２静電保護ブランチは、前記第１静電保護ワイヤの２点に接続され、
前記第１静電保護ワイヤに、前記第１静電保護ワイヤの狭い区画であるテーパ部が設けられて、静電荷が前記テーパ部から解放されること、を特徴とするアレイ基板。
【請求項２】
前記基板が、表示スクリーンを形成するように構成される複数個の有効領域及び前記複数個の有効領域を囲み切断後に廃棄されるように構成される周辺領域を有し、前記第１静電保護ワイヤが前記周辺領域内に所在し、前記複数群のボンディング端子が前記複数個の有効領域内にそれぞれ所在することを特徴とする請求項１記載のアレイ基板。
【請求項３】
前記ボンディング端子が前記非表示領域内に所在し、各ボンディング端子の両端部が、三角形、楔形、台形の形状を有することを特徴とする請求項１記載のアレイ基板。
【請求項４】
各有効領域周辺には、複数の第１静電保護ワイヤ及び／又は第２静電保護ワイヤが配置されることを特徴とする請求項２記載のアレイ基板。
【請求項５】
前記第１静電保護ワイヤの材料及び前記第２静電保護ワイヤの材料はそれぞれ、導電素材製であることを特徴とする請求項４記載のアレイ基板。
【請求項６】
第１静電保護ワイヤが閉じた形状の楕円、円又は多角形をなすことを特徴とする請求項１〜５のうちいずれか一項に記載のアレイ基板。
【請求項７】
表示領域及び前記表示領域を囲む非表示領域を有する複数の有効領域を有する基板を準備するステップと、
前記基板上に複数群のボンディング端子を形成し且つ前記基板の周縁領域上に第１静電保護ワイヤ及び第２静電保護ワイヤを形成するステップと、
を有し、各群のボンディング端子が前記第２静電保護ワイヤを介し前記第１静電保護ワイヤに直接且つ電気的に接続され、
前記第２静電保護ワイヤは、垂直方向に配置された第２静電保護ブランチの第１セットと、水平方向に配置された第２静電保護ブランチの第２セットとを含み、前記第２セットの各第２静電保護ブランチは、前記第１静電保護ワイヤの２点に接続され、
前記第１静電保護ワイヤ及び前記第２静電保護ワイヤは、自身の断面積を大きくするように、それぞれ複数層を有し、
前記第１静電保護ワイヤに、前記第１静電保護ワイヤの狭い区画であるテーパ部が設けられて、静電荷が前記テーパ部から解放される、アレイ基板製造方法。
【請求項８】
各ボンディング端子の両端部が、三角形、楔形、台形の形状を有することを特徴とする請求項７記載のアレイ基板製造方法。
【発明の詳細な説明】
【技術分野】
【０００１】
本願はパネルディスプレイの分野、具体的にはアレイ基板及びその製造方法に関する。
【背景技術】
【０００２】
昨今ではパネルディスプレイテクノロジがますます成熟し、それにつれ消費者が徐々にパネルディスプレイの外見及び多角的機能に対する注意を払うようになっている。そのため、現在の市場では、狭額（ナローベゼル）設計を採るパネルディスプレイが非常に一般化している。狭額設計を採るパネルディスプレイは、小型化が可能であるのと同時に、より広い視認エリアを人々に対し効果的に提供することができる。そのため、狭額設計が、将来のパネルディスプレイに向けた開発トレンド及び方向となっている。
【０００３】
しかしながら、額（ベゼル）の設計が狭まると周縁ワイヤエリアも同様に狭まり、帯電防止能が弱まる。生産プロセスにおいては、器具又はオペレータが製品に接触した際に静電気が不可避的に発生するので、製品が損傷して製品歩留まりに影響が及ぶこととなりやすい。
【０００４】
従来技術では、静電気により引き起こされる損傷が、一般的に以下の方法を通じ防止されている。例えば、設計時に周縁接地ワイヤの幅を広げる方法である。しかしながら、狭縁機構なる制限故に、ワイヤの幅を広げるのは割合に難しい。また例えば、オペレータに帯電防止リストストラップの着用を求める操作技術仕様を定める方法、帯電防止器具例えばイオンファンを付加する方法、良好な帯電防止性能を有する機械を購入及び確保して完全な接地により帯電防止能の改善を図る方法がある。しかしながら、これらの方法のいずれでも、静電気により引き起こされる損傷を効果的に避けることができなかった。
【発明の概要】
【発明が解決しようとする課題】
【０００５】
従って、静電損傷を防止することが、本件技術分野に習熟した者（いわゆる当業者）により解決されるべき喫緊の技術的問題である。
【０００６】
本願の目的は、静電損傷を避けアレイ基板を守ることができるよう、アレイ基板及びその製造方法を提供することにある。
【課題を解決するための手段】
【０００７】
上掲の目的を達成するため、本願では、表示領域及び前記表示領域を囲む非表示領域を有する複数の有効領域を有する基板と、前記基板上に所在する複数群のボンディング端子と、前記基板の周縁領域上に所在する第１静電保護ワイヤと、前記基板上に所在する第２静電保護ワイヤと、を備え、各群のボンディング端子が第２静電保護ワイヤを介し第１静電保護ワイヤに直接且つ電気的に接続され、前記第１静電保護ワイヤ及び前記第２静電保護ワイヤは、自身の断面積を大きくするように、それぞれ複数層を有し、前記第２静電保護ワイヤは、垂直方向に配置された第２静電保護ブランチの第１セットと、水平方向に配置された第２静電保護ブランチの第２セットとを含み、前記第２セットの各第２静電保護ブランチは、前記第１静電保護ワイヤの２点に接続され、前記第１静電保護ワイヤに、前記第１静電保護ワイヤの狭い区画であるテーパ部が設けられて、静電荷が前記テーパ部から解放されること、を特徴とするアレイ基板を提供する。
【０００８】
付随的には、前記基板が、表示スクリーンを形成するように構成される複数個の有効領域及び前記複数個の有効領域を囲み切断後に廃棄されるように構成される周辺領域を有し、第１静電保護ワイヤが前記周辺領域内に所在し、前記第１静電保護ワイヤに静電気を逃すためのテーパ部が設けられ、且つ前記複数群のボンディング端子が前記複数個の有効領域内にそれぞれ所在する。
【０００９】
付随的には、ボンディング端子が前記非表示領域内に所在し、各ボンディング端子の両端部が、三角形、楔形、台形の形状を有する。
【００１０】
付随的には、各有効領域周辺には、複数の第１静電保護ワイヤ及び／又は第２静電保護ワイヤが配置される。
【００１１】
付随的には、前記第１静電保護ワイヤの材料及び前記第２静電保護ワイヤの材料はそれぞれ、導電素材製とする。
【００１２】
付随的には、第１静電保護ワイヤが閉じた形状の楕円、円又は多角形をなす。
【００１３】
本願では更に、表示領域及び前記表示領域を囲む非表示領域を有する複数の有効領域を有する基板を準備するステップと、前記基板上に複数群のボンディング端子を形成し且つ前記基板の周縁領域上に第１静電保護ワイヤ及び第２静電保護ワイヤを形成するステップと、を有し、各群のボンディング端子が前記第２静電保護ワイヤを介し前記第１静電保護ワイヤに直接且つ電気的に接続され、前記第２静電保護ワイヤは、垂直方向に配置された第２静電保護ブランチの第１セットと、水平方向に配置された第２静電保護ブランチの第２セットとを含み、前記第２セットの各第２静電保護ブランチは、前記第１静電保護ワイヤの２点に接続され、前記第１静電保護ワイヤ及び前記第２静電保護ワイヤは、自身の断面積を大きくするように、それぞれ複数層を有し、前記第１静電保護ワイヤに、前記第１静電保護ワイヤの狭い区画であるテーパ部が設けられて、静電荷が前記テーパ部から解放される、アレイ基板製造方法を提供する。
【００１６】
付随的には、各ボンディング端子の両端部が、三角形、楔形、台形の形状を有する。
【発明の効果】
【００１７】
従来技術に比し、本願にて提供されるアレイ基板及びその製造方法では、複数群のボンディング端子が基板上に形成され、第１静電保護ワイヤがその基板の周縁エリア上に形成され、ボンディング端子と第１静電保護ワイヤを接続するよう第２静電保護ワイヤが形成されるので、ボンディング端子上の静電気を第２静電保護ワイヤを介し第１静電保護ワイヤへと案内して電荷を平衡させ消費することができ、ひいてはアレイ基板を効果的に保護するという目的を達成することができる。
【００１８】
更に、第１静電保護ワイヤ及び第２静電保護ワイヤの形成と複数群のボンディング端子の形成とを同時に処理すれば、処理工程や処理コストが追加されない。
【図面の簡単な説明】
【００１９】
【図１】本願の実施形態に係るアレイ基板の模式的構造図である。
【図２】本願の実施形態に係る図１中の点Ａの拡大図である。
【図３】本願の他の実施形態に係る図１中の点Ａの拡大図である。
【図４】本願の実施形態に係る他のアレイ基板の模式的構造図である。
【発明を実施するための形態】
【００２０】
背景技術欄で述べたように、周縁ワイヤ用のエリアが狭いと帯電防止能が弱い。生産プロセスでは、器具やオペレータが製品に接触した際に静電気が不可避的に発生するので、製品が損傷して製品歩留まりに影響が及ぶこととなりやすい。
【００２１】
静電損傷を避けるため、本願では、基板と、その基板上に所在する複数群のボンディング端子と、その基板の周縁エリア上に所在する第１静電保護ワイヤと、その基板上に所在する第２静電保護ワイヤと、を有し、ボンディング端子が第２静電保護ワイヤを介し第１静電保護ワイヤに接続されたアレイ基板を提供する。
【００２２】
本願により提供されるアレイ基板では、複数群のボンディング端子が基板上に形成され、第１静電保護ワイヤがその基板の周縁領域上に形成され、ボンディング端子と第１静電保護ワイヤを接続するよう第２静電保護ワイヤが形成されるので、ボンディング端子上の静電気を第２静電保護ワイヤを介し第１静電保護ワイヤへと案内して電荷を平衡させ消費することで、アレイ基板を効果的に保護するという目的を達成することができる。
【００２３】
本願の内容をよりわかりやすくするため、以下、添付図面を参照して本願の内容を更に述べることにする。確かなことに、本願はそれら具体的実施形態に限定されず、いわゆる当業者にとり周知な一般的置換物もまた本願の保護範囲内に収まる。
【００２４】
その際、模式図を用い本願を詳細に描出する。本願の実施形態を詳細に描出するに当たり、それら模式図は、記述を容易化する目的で以て部分的に拡大されていて、一般的な寸法比率に従っておらず、本願はそうしたものに限定されない。
【００２５】
図１に示されているのは、本願の実施形態に係るアレイ基板の模式的構造図である。図１に示すように、本願では、基板１０と、基板１０上に所在する複数群のボンディング端子２０と、基板１０の周縁領域上に所在する第１静電保護ワイヤ３０と、基板１０上に所在する第２静電保護ワイヤ４０とを有し、ボンディング端子２０が第２静電保護ワイヤ４０を介し第１静電保護ワイヤ３０に接続されたアレイ基板が提供されている。
【００２６】
好ましいことに、基板１０は、複数個の有効領域１１と、それら有効領域１１を囲む周辺領域１２とを有している。有効領域１１は、表示スクリーンが追々形成されるエリアであって、好ましくも長方形であり、周辺領域１２は後の切断後に廃棄されるエリアである。即ち、最終的に基板１０は切断されて、有効領域１１は表示スクリーンを形成すべく留置され、また周辺領域１２は切断後に廃材となる。第１静電保護ワイヤ３０は周辺領域１２内に所在しており、複数群のボンディング端子２０は複数個の有効領域１１内にそれぞれ所在している。
【００２７】
有効領域１１は、表示領域１１０と、表示領域１１０を囲む非表示領域１１２（図１にはある一辺上の非表示領域のみが示されている）とを有している。複数個の画素が表示領域１１０内に作成され、それにより画素アレイが形成されている。複数個の金属層が非表示領域１１２内に配置され、それにより周辺回路が形成されている。総じて、各画素は、少なくとも１個の薄膜トランジスタと、その薄膜トランジスタに接続された画素電極とを有している。各画素は、２本の近隣スキャンライン及び２本の近隣データラインにより囲まれている。それらスキャンライン及びデータラインが表示領域１１０から非表示領域１１２へと延び、非表示領域１１２の周辺回路を介し駆動チップに接続されているので、その表示スクリーンの通常動作を実現することができる。ボンディング端子２０は非表示領域１１２のボンディングエリア内に所在しており、駆動チップにボンディングされるべく用いられている。
【００２８】
至便性なる目的を踏まえ、図１にはボンディング端子２０を９群しか示していないが、他の諸実施形態でのボンディング端子２０の群数は限定されない。基板上に形成されるボンディング端子２０の群数は、アレイ基板切断後に形成される表示スクリーンと同数である。即ち、１個の表示スクリーンが１群のボンディング端子２０を必要とする。加えて、ボンディング端子２０の１群内のボンディング端子の個数も、表示スクリーンの条件／要請に従い決まるのであり、本願では限定されない。
【００２９】
第１静電保護ワイヤ３０及び第２静電保護ワイヤ４０は共に導電素材製のワイヤであり、金属ワイヤであるのが望ましい。第１静電保護ワイヤ３０は周辺領域１２内に所在している。不要になる周辺領域１２内に周縁ワイヤが配置されるため、第１静電保護ワイヤ３０の幅は広ければ広いほどよい。第１静電保護ワイヤ３０の幅は０．１ｍｍ超であるのが望ましい。第２静電保護ワイヤ４０は、ボンディング端子２０と第１静電保護ワイヤ３０とを接続するのに用いられている。同様に、第２静電保護ワイヤ４０の幅は０．１ｍｍ超であるのが望ましい。
【００３０】
図１及び図２に示すように、各ボンディング端子２０は、第２静電保護ワイヤ４０を介し第１静電保護ワイヤ３０に接続されている。図２に示されているのは、本願の実施形態に係る図１中の点Ａの拡大図である。ボンディング端子２０の各群内の各ボンディング端子は水平方向（横方向）に沿い規則的に配列されており、垂直方向（縦方向）沿いに延びる第２静電保護ワイヤを介し、水平方向沿いに延びる第２静電保護ワイヤに接続されている。即ち、静電保護ワイヤ４０は垂直方向に沿い配置された複数本の第２静電保護ブランチ４１を有しており、その第２静電保護ブランチ４１の本数が各群内のボンディング端子２０と同数とされている。第２静電保護ブランチ４１はボンディング端子２０と１対１に対応し、それに電気的に接続されている。その上、第２静電保護ワイヤ４０は、水平方向に沿い配置された第２静電保護ブランチ４２をも有している。第２静電保護ブランチ４１は第２静電保護ブランチ４２に接続されており、最終的には第１静電保護ワイヤ３０に接続されている。複数本ある第２静電保護ブランチ４１は、同じライン幅及び長さを有し平行に配列されている。
【００３１】
図２では、ボンディング端子２０の各群内の各ボンディング端子が長方形であり、それらボンディング端子が水平方向に沿い規則的に配列されている。更に、ボンディング端子の短辺が水平方向に沿っており、またその長辺が垂直方向に沿っている。しかしながら、他の諸実施形態では、ボンディング端子が別の形状及び配列を呈することがある。図３に示されているのは、本願の他の実施形態に係る図１中の点Ａの拡大図である。図３に示すように、ボンディング端子２０の各群内の各ボンディング端子は長方形であり、それらボンディング端子が概ね扇形をなし配列されている。更に、各ボンディング端子の長辺方向に沿った仮想延長線２１（好ましくは中心軸を通るもの）が、ベースライン（基線）２２（垂直方向）に対しある傾斜角をなし、且つ同一点Ｐにてベースライン２２と交差している。確かなことに、ボンディング端子が外寄りで収束していて、従って点Ｐが表示領域から離れた側に所在するのでもよいし（図３に示すそれ）、ボンディング端子が外寄りで発散していて、従って点Ｐが表示領域寄りの側に所在するのでもよい。ボンディング端子の同一群内では、ベースライン２２からより遠く離れているボンディング端子の仮想延長線２１が、ベースライン２２に対し、より大きな角度をなしている。
【００３２】
本実施形態では、各ボンディング端子が占める面積を同じにすること、即ち各ボンディング端子を同じ形状及びサイズにすることや、ベースライン３０の方向に沿った各ボンディング端子の長さを同じにすることができる。好ましいことに、各ボンディング端子の二端を、三角形、楔形、台形等の形状を呈するものとすることができる。即ち、ボンディング端子のうち駆動チップにボンディングされるべき部分を長方形に保つことで、圧着面積を確保する一方、ボンディング端子の二端を先細りにすることで、近隣ボンディング端子間ギャップを広げて近隣ボンディング端子間回路短絡を効果的に防止することができる。
【００３３】
図３に示すように、ボンディング端子２０の各群内の各ボンディング端子は、仮想延長線２１の方向沿いに延びる第２静電保護ワイヤを介し、水平方向沿いに延びる第２静電保護ワイヤに接続されている。即ち、静電保護ワイヤ４０はボンディング端子２０の仮想延長線２１の方向に沿い配置された複数本の第２静電保護ブランチ４１を有しており、それら第２静電保護ブランチ４１の本数が各群内のボンディング端子２０と同数とされている。第２静電保護ブランチ４１は、ボンディング端子２０と１対１に対応しそれに電気的に接続されている。更に、第２静電保護ワイヤ４０は、水平方向に沿い配置された第２静電保護ブランチ４２をも有している。第２静電保護ブランチ４１は第２静電保護ブランチ４２に接続されており、最終的には第１静電保護ワイヤ３０に接続されている。複数本ある第２静電保護ブランチ４１を同じ幅にすることができる。
【００３４】
本実施形態では、各ボンディング端子の長辺方向に沿った仮想延長線２１が、ベースライン２２と、ある同じ点Ｐにて、即ち外寄り収束点であり表示領域から離れた側に所在する点にて交差している。更に、点Ｐは、第２静電保護ブランチ４２の片側、表示領域から遠い方に所在している。他の諸実施形態では、点Ｐが第２静電保護ブランチ４２上に所在していることもあり得、この場合には仮想延長線２１が第２静電保護ブランチ４１と厳密に一致する。確かなことに、点Ｐが表示領域・第２静電保護ブランチ４２間に所在していることもあり得、これは本願にて限定されるものではない。
【００３５】
確かなことに、図２及び図３は図１中の点Ａの模式的拡大図であり、中庸位置に所在するボンディング端子の接続状況を示している。そのボンディング端子２０（ひいては最終的に形成される表示スクリーン）が基板１０の下縁に所在しているのなら、第２静電保護ブランチ４２は必要なく、第２静電保護ブランチ４１が直に第１静電保護ワイヤ３０に接続される。
【００３６】
ボンディング端子２０は、第２静電保護ワイヤ４０を介し第１静電保護ワイヤ３０に接続される。その後、後続の製造プロセスにて、ボンディング端子２０により生じた（或いは有効領域１１内で生じた）静電気を、第２静電保護ワイヤ４０を介し第１静電保護ワイヤ３０へと案内して電荷を平衡させ消費することができるので、静電気により引き起こされる損傷を防いで、アレイ基板を効果的に保護するという目的を達成することができる。
【００３７】
ご理解頂けるように、静電気を第１静電保護ワイヤ３０を介し排出することもできる。例えば、第１静電保護ワイヤ３０がゼロ電位に接続される。或いは、第１静電保護ワイヤ３０上にテーパ部を形成すること、即ち第１静電保護ワイヤの一区画を狭めていくことで、静電気をそのテーパ部から容易に逃がすことができ、またその静電荷の解放速度を高めることもできる。
【００３８】
本実施形態では、第１静電保護ワイヤ３０が閉じた形状、例えば閉じた楕円、円又は多角形或いはいわゆる当業者にとり既知な他形状を呈している。その多角形は三角形、四角形、五角形等でありうる。長方形をなす第１静電保護ワイヤ３０が図１にて例として用いられているが、本願はそれに限定されない。確かなことに、他の諸実施形態では、第１静電保護ワイヤ３０が閉じていない形状を呈することもありうる。
【００３９】
図４に示されているのは、本願の実施形態に係る他のアレイ基板の模式的構造図である。図４に示すように、本願では、基板１０と、基板１０上に所在する複数群のボンディング端子２０と、基板１０の周縁領域上に所在する第１静電保護ワイヤ３０と、基板１０上に所在する第２静電保護ワイヤ４０とを有し、ボンディング端子２０が第２静電保護ワイヤ４０を介し第１静電保護ワイヤ３０に接続されたアレイ基板を提供している。このアレイ基板では、各有効領域１１が、その周辺に配置された第１静電保護ワイヤ３０及び／又は第２静電保護ワイヤ４０に電気的に接続されている。図４に示すように、本実施形態では、第２静電保護ワイヤ４０が垂直方向に沿い有効領域１１間にも配置されており、その第２静電保護ワイヤを、第１静電保護ワイヤ３０と、水平方向に沿う第２静電保護ワイヤとに接続することで、静電保護ワイヤの総面積又は全長を改善して静電気を更に平衡させ消費している。
【００４０】
ご理解頂けるように、本願における水平方向及び垂直方向は、共に、図示内容を本願描出用の参照基準として捉えるものであり、実際の製品における水平方向及び垂直方向を示すものではない。例えば、本願における「垂直方向」は、図中の垂直方向であることも、図中の垂直方向に対し垂直な水平方向を指すこともあるし、「水平方向」は、図中の水平方向であることも、図中の水平方向に対し垂直な垂直方向を指すこともある。即ち、本願における「水平方向」及び「垂直方向」の意味合いは、従来的な感覚での「水平方向」及び「垂直方向」に限定されない。
【００４１】
対応するが如く、本願では更に、先に述べた２個の実施形態のアレイ基板を形成するのに用いられるアレイ基板製造方法を提供している。図１〜図４に示すように、本アレイ基板製造方法は、
基板１０を準備するステップと、
基板１０上に複数群のボンディング端子２０を且つ基板１０の周縁領域上に第１静電保護ワイヤ３０を形成するステップと、
基板１０上に第２静電保護ワイヤ４０を形成するステップと、を有し、ボンディング端子２０が第２静電保護ワイヤ４０を介し第１静電保護ワイヤ３０に接続されるものである。
【００４２】
具体的には基板１０が準備される。基板１０は透明素材、例えばガラス、石英、シリコンウェハ、ポリカーボネート、ポリメチルメタクリレート、金属箔等で作成することができる。基板１０はリジッド基板でもフレキシブル基板でもよい。基板１０の選択及び前処理は、いわゆる当業者にとりなじみ深いので詳細には再述しない。
【００４３】
基板１０は、複数個の有効領域１１と、有効領域１１を囲む周辺領域１２とを有している。有効領域１１は表示スクリーンが追々形成されるエリアである。周辺領域１２は切断後に廃棄されるエリアである。有効領域１１は、表示領域１１０と、表示領域１１０を囲む非表示領域１１２とを有している。表示領域１１０は、基板１０上にスキャンライン、データライン、トランジスタスイッチ、画素電極等を形成するのに追々用いられる。非表示領域１１２は、基板１０上に周辺ワイヤを形成することで表示領域１１０上のスキャンライン、データライン等を駆動チップに接続するのに、追々用いられる。
【００４４】
次いで、スキャンライン、データライン、トランジスタスイッチ、画素電極等が表示領域１１０内に形成される。複数個の金属層が非表示領域１１２内に形成され、それにより周辺回路が形成される。更に、ボンディング端子２０が非表示領域１１２内に形成される際に、第１静電保護ワイヤ３０が基板１０の周縁領域（即ち周辺領域１２）上に形成され、第２静電保護ワイヤ４０が基板１０上に形成される。第１静電保護ワイヤ３０は第２静電保護ワイヤ４０を介しボンディング端子２０に接続される。
【００４５】
第１静電保護ワイヤ３０及び第２静電保護ワイヤ４０の形成と、ボンディング端子２０の形成は、同時に処理することができる。確かなことに、第１静電保護ワイヤ３０及び第２静電保護ワイヤ４０を、表示領域１１０内のスキャンライン、データライン、トランジスタスイッチ又は画素電極と、或いは非表示領域１１２内の複数個の金属層のうち一つと、同じ処理工程にて形成することもできる。即ち、第１静電保護ワイヤ３０及び第２静電保護ワイヤ４０の形成では処理工程又は処理コストが何も付加されないであろう。
【００４６】
ボンディング端子２０を例として用いると、まず、金属層が基板１０上に形成され、パターン化フォトレジスト層がその金属層上に形成される。パターン化フォトレジスト層により、ボンディング端子、第１静電保護ワイヤ３０及び第２静電保護ワイヤ４０用のエリアが露出される。その上で、そのパターン化フォトレジスト層をマスクとして用い金属スパッタリングを実行することで、ボンディング端子２０、第１静電保護ワイヤ３０及び第２静電保護ワイヤ４０を形成することができる。従って、形成された第１静電保護ワイヤ３０及び第２静電保護ワイヤ４０では処理工程が何も付加されないであろう。
【００４７】
ご理解頂けるように、第１静電保護ワイヤ３０及び第２静電保護ワイヤ４０を非表示領域１１２内の複数個の金属層と同じ処理工程にて形成する際には、第１静電保護ワイヤ３０及び第２静電保護ワイヤ４０をも複数層を有するものとし、ひいては保護ワイヤの断面積を増やして静電気を更に平衡させ消費することができる。即ち、第１静電保護ワイヤ３０及び第２静電保護ワイヤ４０が単一層を有するのでも複数層を有するのでもよい。確かなことに、第１静電保護ワイヤ３０及び第２静電保護ワイヤ４０を相独立に形成してもよい。
【００４８】
第１静電保護ワイヤ３０及び第２静電保護ワイヤ４０は導電素材製のワイヤ、好ましくは金属ワイヤとされ、或いは同じ処理工程にて形成されたボンディング端子２０、画素電極又は複数個の金属層のそれと同じ素材で作成される。
【００４９】
スキャンライン及びデータラインが、表示領域１１０から非表示領域１１２へと延び、非表示領域１１２の周辺回路を介し駆動チップに電気的に接続されるので、その駆動チップにより、非表示領域１１２にボンディングされている端子２０の駆動が実現される。従って、有効領域１１内で生じた静電気を駆動端子２０へと転送し、次いで第２静電保護ワイヤ４０を介し第１静電保護ワイヤ３０へと案内することができるので、その電気を平衡させ消費して、アレイを効果的に保護するという目的を達成することができる。
【００５０】
結論として、本願にて提供されるアレイ基板及びその製造方法では、複数群のボンディング端子が基板上に形成され、第１静電保護ワイヤがその基板の周縁領域上に形成され、ボンディング端子と第１静電保護ワイヤを接続するよう第２静電保護ワイヤが形成されるので、ボンディング端子上の静電気を第２静電保護ワイヤを介し第１静電保護ワイヤへと案内して電荷を平衡させ消費することができ、ひいてはアレイ基板を効果的に保護するという目的を達成することができる。
【００５１】
更に、第１静電保護ワイヤ及び第２静電保護ワイヤの形成とボンディング端子の形成とが同時に処理されるので、処理工程や処理コストが追加されない。
【００５２】
上掲の記述は本願の単なる好適諸実施形態であり、本願の技術的範囲を限定する意図のものではない。上掲の開示に従いいわゆる当業者がなす全ての改変及び修正は、別項の諸請求項の技術的範囲内に収まろう。
【図１】
0006967611.tif 000002
【図２】
0006967611.tif 000003
【図３】
0006967611.tif 000004
【図４】
0006967611.tif 000005